(57)【要約】  【課題】  ランドグリッドアレイタイプのパッケージにおける、半導体チップが搭載された放熱板下の基板配線の自由度を向上させる。  【解決手段】  下面に複数個の放熱端子２０ｄが設けられた放熱板２０の上面に半導体チップ１が搭載され、放熱板の周囲には、複数個の電気信号用端子５が格子状に規則的に配列されている。封止樹脂７により、電気信号用端子および放熱端子の下端面を露出させて封止されている。放熱板は、上面中央部に突出するように設けられ半導体チップを支持する突出部２０ａと、突出部の裏面の周囲に突出部を保持するように設けられ封止樹脂の裏面に露出した複数個の支持部２０ｂと、複数個の放熱端子と、支持部および放熱端子の下端面よりも後退した肉薄部２０ｃとが一体になった構造を有する。突出部の下面および肉薄部の下面は封止樹脂で被覆されており、突出部に連続した複数箇所の支持部は、突出部の周囲に互いに対称な位置に配置されている。【選択図】  図１
2005197604.tif 000002
【特許請求の範囲】
【請求項１】
半導体チップと、上面に前記半導体チップが搭載され下面に複数個の放熱端子が設けられた放熱板と、その放熱板の周囲に格子状に規則的に配列された複数個の電気信号用端子と、前記半導体チップと前記電気信号用端子とを電気的に接続する接続部材と、前記電気信号用端子および前記放熱端子の下端面を露出させて、前記半導体チップ、前記放熱板、前記電気信号用端子および前記接続部材を封止した封止樹脂とを備えた半導体装置において、
前記放熱板は、上面中央部に突出するように設けられ前記半導体チップを支持する突出部と、前記突出部の裏面の周囲に前記突出部を保持するように設けられ前記封止樹脂の裏面に露出した複数個の支持部と、前記複数個の放熱端子と、前記支持部および前記放熱端子の下端面よりも後退した肉薄部とが一体になった構造を有し、
前記突出部の下面および前記肉薄部の下面は前記封止樹脂で被覆されており、
前記突出部に連続した複数箇所の支持部は、前記突出部の周囲に互いに対称な位置に配置されていることを特徴とする半導体装置。
【請求項２】
前記支持部、前記放熱端子および前記電気信号用端子の相互間の間隔は、隣接する前記電気信号用端子どうしの相互間の間隔以上であり、前記放熱端子は前記電気信号用端子と実質的に同一の形状および配列を有する請求項１記載の半導体装置。
【請求項３】
前記放熱端子は、放熱板の外周部のみに、対称的に配置された請求項１記載の半導体装置。
【請求項４】
前記突出部に連続した前記支持部の幅は、リードフレーム厚みの１／２以上であり、前記支持部の長さはリードフレーム厚み以上である請求項１記載の半導体装置。
【請求項５】
前記放熱板の肉薄部の一部に貫通穴が形成されている請求項１記載の半導体装置。
【請求項６】
前記貫通穴の位置は、すくなくとも半切断部に連続している請求項５記載の半導体装置。
【請求項７】
半導体チップと、上面に前記半導体チップが搭載され下面に複数個の放熱端子が設けられた放熱板と、その放熱板の周囲に格子状に規則的に配列された複数個の電気信号用端子と、前記半導体チップと前記電気信号用端子とを電気的に接続する接続部材と、前記電気信号用端子および前記放熱端子の下端面を露出させて、前記半導体チップ、前記放熱板、前記電気信号用端子および前記接続部材を封止した封止樹脂とを備えた半導体装置において、
前記放熱板は、前記半導体チップを支持する上面が平坦であり、下面は、前記電気信号用端子と同じ形状、配列で設けられ前記封止樹脂の裏面に露出した複数個の放熱端子と、前記放熱端子の下端面よりも後退した前記放熱端子以外の領域の肉薄部とを含み、
前記肉薄部の下面は前記封止樹脂で被覆されていることを特徴とする半導体装置。
【請求項８】
前記放熱端子は、前記放熱板の外周部のみに配置されている請求項７記載の半導体装置。
【請求項９】
前記放熱端子は、前記放熱板の外周部と中央部に配置されている請求項７記載の半導体装置。
【請求項１０】
前記放熱板の肉薄部の一部に貫通穴が形成されている請求項７から９のいずれかに記載の半導体装置。
【発明の詳細な説明】
【技術分野】
【０００１】
本発明は、封止樹脂の下面に露出する外部端子が格子状に規則的に配置された、いわゆるランドグリッドアレイタイプの半導体装置における、半導体チップが搭載された放熱板の構造の改良に関する。
【背景技術】
【０００２】
従来例の半導体装置の構造について、図面を参照しながら説明する。図６は、特許文献１に記載された従来の半導体装置の構造の一例を示す概略図である。図６（ａ）は半導体装置の断面図、（ｂ）は同半導体装置の下面の外観を示す下面図である。図６（ａ）の断面図は、図６（ｂ）のＪ−Ｊ線に沿った断面を示す。図６（ｃ）は、この半導体装置を構成する放熱板を取り出して示した下面図、図６（ｄ）は、この半導体装置を構成するリードフレームを示す下面図である。
【０００３】
図６（ａ）に示すように、半導体チップ１は、放熱板２の中央の突出部２ａ上に搭載され、銀ペーストなどの接着材３で固定されている。放熱板２は、図６（ｄ）に示すように、半導体装置の四隅のランドからのびた吊りリード４と一体構造であり、強度的にこの吊りリード４により保持されている。また、半導体装置外部に露出する吊りリード４上のランド４ａも一体構造となっている。チップ搭載部である突出部２ａを含む放熱板２の外側には、規則正しい格子状に、電気信号用端子５が配列されており、ワイヤー６により半導体チップ１と電気的に接続されている。以上の要素は、封止樹脂７で封止されている。
【０００４】
放熱板２の突出部２ａの周囲に形成された支持部２ｂは、半導体装置外部へ露出する、いわゆるフルメタル部分、すなわち厚みがリードフレームの初期の厚みのままであり、突出部２ａを支持する役目を果たす。突出部２ａの下面の中央凹部２ｃは、封止樹脂７が流れ込まない構造となっているため、樹脂封止されず、支持部２ｂとともに半導体装置の外部に露出する。支持部２ｂを包囲する外周部分２ｄは、ハーフエッチングにより薄肉化され封止樹脂７に埋め込まれるが、一部はフルメタルの放熱端子２ｅを形成して半導体装置外部に露出する。その形状・寸法および配列は、半導体装置下面の電気信号用端子５と同様であり、外観上は、電気信号用端子５となんら相違がない。
【特許文献１】特開２０００−１２４３８１号公報
【発明の開示】
【発明が解決しようとする課題】
【０００５】
上記従来の半導体装置の場合、実装基板へのはんだ接続の後、露出した放熱板２の下に実装基板上の配線を形成することが困難となるという問題点があった。図７に、基板上配線の様子を示す。図７（ａ）は、図６に示した構造を有する半導体装置８を実装用の基板９に実装した状態を示す断面図、図７（ｂ）は基板表面の状態を示す平面図である。図７（ａ）の断面図は、（ｂ）におけるＫ−Ｋ線に沿った断面を示す。この基板９は、高密度配線を付設するために、放熱板２の直下に対応する領域に配線を引き回す必要がある場合の一例である。
【０００６】
基板９上に形成された電極１０は、半導体装置８の電気信号用端子５とはんだ材料１１により接続される。１２は、半導体装置８下面の中央部の基板９上に形成された配線を示す。配線１２は、半導体装置８の電気信号用端子５のひとつに対応する基板９上の電極１０ａから、基板９に形成されたビアホール１３に至るように、基板９の上面に形成されている。配線１２は、ビアホール１３を介して基板９の内層配線１４に接続されている。
【０００７】
この状態において、基板９上の配線１２と半導体装置８の露出した放熱板２の支持部２ｂが、互いに金属どうしで向き合うことになる。このような状態となったとき、近接している電気信号用端子５部分のはんだ材料１１ａがはみだしたり、余分なはんだ材料が分離してはんだボール１５となり、配線１２と放熱板２とのあいだに位置した場合に、電気的なショートが発生し、回路特性が不良となる。
【０００８】
このような基板設計は、近年の高密度電子回路形成では通常のこととなっているが、露出している放熱板の直下に基板配線を形成することは、放熱板とその直下の基板配線間での相互の干渉が発生する可能性があり、危険な設計として避けられている。
【０００９】
本発明は、放熱板が露出する構造の半導体装置における上述の問題を解決し、放熱板下の基板配線の自由度を確保できる半導体装置を提供することを目的とする。
【課題を解決するための手段】
【００１０】
本発明の第１の構成の半導体装置は、半導体チップと、上面に前記半導体チップが搭載され下面に複数個の放熱端子が設けられた放熱板と、その放熱板の周囲に格子状に規則的に配列された複数個の電気信号用端子と、前記半導体チップと前記電気信号用端子とを電気的に接続する接続部材と、前記電気信号用端子および前記放熱端子の下端面を露出させて、前記半導体チップ、前記放熱板、前記電気信号用端子および前記接続部材を封止した封止樹脂とを備えた基本構成を有する。前記放熱板は、上面中央部に突出するように設けられ前記半導体チップを支持する突出部と、前記突出部の裏面の周囲に前記突出部を保持するように設けられ前記封止樹脂の裏面に露出した複数個の支持部と、前記複数個の放熱端子と、前記支持部および前記放熱端子の下端面よりも後退した肉薄部とが一体になった構造を有する。前記突出部の下面および前記肉薄部の下面は前記封止樹脂で被覆されており、前記突出部に連続した複数箇所の支持部は、前記突出部の周囲に互いに対称な位置に配置されている。
【００１１】
本発明の第２の構成の半導体装置は、第１の構成と同様の基本構成を備える。そして、前記放熱板は、前記半導体チップを支持する上面が平坦であり、下面は、前記電気信号用端子と同じ形状、配列で設けられ前記封止樹脂の裏面に露出した複数個の放熱端子と、前記放熱端子の下端面よりも後退した前記放熱端子以外の領域の肉薄部とを含み、前記肉薄部の下面は前記封止樹脂で被覆されていることを特徴とする。
【発明の効果】
【００１２】
上記の構成によれば、従来露出していた放熱板下面の相当部分を封止樹脂の中に埋め込み、放熱板の下面が封止樹脂から露出する面積を低減させて、放熱板下の基板配線の自由度を向上させることができる。
【発明を実施するための最良の形態】
【００１３】
本発明の第１の構成の半導体装置において、好ましくは、前記支持部、前記放熱端子および前記電気信号用端子の相互間の間隔は、隣接する前記電気信号用端子どうしの相互間の間隔以上であり、前記放熱端子は前記電気信号用端子と実質的に同一の形状および配列を有する。
【００１４】
また好ましくは、前記放熱端子は、放熱板の外周部のみに、対称的に配置される。また、前記突出部に連続した前記支持部の幅は、リードフレーム厚みの１／２以上であり、前記支持部の長さはリードフレーム厚み以上であることが好ましい。また、前記放熱板の肉薄部の一部に貫通穴が形成されていることが好ましい。前記貫通穴の位置は、すくなくとも半切断部に連続していることが好ましい。
【００１５】
本発明の第２の構成の半導体装置において、前記放熱端子は、前記放熱板の外周部のみに配置されている構成とすることができる。また、前記放熱端子は、前記放熱板の外周部と中央部に配置されている構成にしてもよい。好ましくは、前記放熱板の肉薄部の一部に貫通穴が形成されている構成とする。
【００１６】
以下、本発明の半導体装置の実施形態について、図面を参照しながら説明する。
【００１７】
（実施の形態１）
図１は本発明の実施の形態１における半導体装置の構造を示す。図１（ａ）、（ｂ）は断面図、（ｃ）は下面図である。図１（ａ）は、（ｃ）のＡ−Ａ線に沿った断面、（ｂ）はＢ−Ｂ線に沿った断面を示す。図１（ｄ）は、この半導体装置を構成する放熱板を取り出して示した下面図、図１（ｅ）は、この半導体装置を構成するリードフレームの構造を示す下面図である。
【００１８】
この半導体装置の構造においては、放熱板２０の構造が、図６に示した従来例の放熱板２と相違する。他の部分の構造は、図６に示した従来例と同様であり、同一の要素には同一の参照符号を付して、説明を簡略化する。
【００１９】
放熱板２０の上面には、従来例と同様に突出部２０ａが形成され、半導体チップ１が搭載されている。放熱板２０の下面には、突出部２０ａの周囲に対応する位置に、支持部２０ｂが形成されている。支持部２０ｂはフルメタル部分であり、封止樹脂７の外部に露出し、突出部２０ａを保持する役割を果たす。
【００２０】
放熱板２０の下面にはさらに、肉薄のハーフエッチング部２０ｃ、および放熱端子２０ｄが形成されている。放熱端子２０ｄは、周囲の電気信号用端子５と同じ形状、寸法、配列で配置され、封止樹脂７の外部に露出して、放熱性確保のため基板とはんだ接続されるフルメタル部分である。放熱端子２０ｄの形状、寸法、配列を電気信号用端子５と同じとすることによる利点の一つは、基板に実装するときのはんだ材料供給パターンを統一でき、実装条件の設定が容易なことである。また、基板への接合材料としてはんだボールをつける際に、電気信号用端子５に用いるボールと同じサイズのボールで対応可能である。また、ランドデザインのシンプル化のために、放熱端子２０ｄを電気信号用端子５と連続させて配置することが望ましい。一例として図１（ｅ）に示すように、放熱端子２０ｄを放熱板２０の外周縁部にのみ配置する。
【００２１】
このような放熱板２０の支持部２０ｂの構造により、支持部２０ｂの周囲のハーフエッチング部２０ｃが封止樹脂７により被覆され、この部分が基板配線可能となる。本実施の形態における支持部２０ｂの形状は、図６の従来例のような一つの大きな矩形状ではなく、小さな長方形状の支持部２０ｂが４個、直交する軸線上に配置されていることが特徴である。それにより、封止樹脂７外部に露出する面積が低減され、はんだショート防止および基板配線設計の簡略性・規則性に有利になっている。
【００２２】
この支持部２０ｂと放熱端子２０ｄの間隔Ｌ１、支持部２０ｂどうしの間隔Ｌ２は、電気信号用端子５どうし間の間隔Ｌ３と同じか、もしくはそれ以上とすることが望ましい。それにより、ショートを防止して基板配線設計の自由度を十分に確保できる。また、支持部２０ｂの寸法については、その幅Ｌ４がリードフレーム厚みＬ５の１／２倍以上、長さＬ６がリードフレーム幅以上とすることにより、突出部２０ａを保持する力を確保できるので望ましい。
【００２３】
上述のとおり、本実施の形態では、放熱板２０の露出部分が基板上配線と対向することを極力防ぐため、放熱板２０下面の露出部分を削減している。すなわち、従来、放熱板２０が露出していた箇所を樹脂面とし、その下に基板上配線が配置されるように設計する。それにより、万一配線上に異物が乗ったとしても、対向する半導体装置側は樹脂面であるため、電気的ショートなどの不具合は発生しない。放熱板２０下部の樹脂被覆領域は、基板配線の自由度確保のため、可能な限りその面積を大きくすることが望ましい。
【００２４】
（実施の形態２）
図２に示す実施の形態２における半導体装置は、図１の半導体装置における放熱板２０下面への封止樹脂７埋め込みの効率を改善した放熱板構造を有する。図２（ａ）、（ｂ）は断面図、（ｃ）は下面図である。図２（ａ）は、（ｃ）のＣ−Ｃ線に沿った断面、（ｂ）はＤ−Ｄ線に沿った断面を示す。図２（ｄ）は、この半導体装置を構成する放熱板を取り出して示した下面図である。
【００２５】
図１において、封止樹脂７で埋め込むべき放熱板２０下面は、ハーフエッチングされている。しかしながら、封止樹脂７がながれこむ隙間がせまいため、封止樹脂７の充填状態が悪いので未充填部が発生し易く、外観不良となる。したがって、放熱板２０下面への封止樹脂７の流れ込みを促進する必要がある。
【００２６】
図２に示す半導体素子の放熱板２１の構造は、そのような課題を解決するものである。放熱板２１は、図１の構造と同様な、突出部２１ａ、支持部２１ｂ、ハーフエッチング部２１ｃ、および放熱端子２１ｄを有する。さらに放熱板２１には、貫通穴２１ｅが形成されている。貫通穴２１ｅは、リードフレーム製作工程において、エッチングによりあらかじめ形成されている。
【００２７】
半導体装置製造の封止工程において、封止樹脂７が、半導体チップ１の直下の隙間２２からも、貫通穴２１ｅを通じて放熱板２１下面２３へと流れ込む。この貫通穴２１ｅがない場合、例えば図２（ａ）において、樹脂の流れ込む経路は矢印２４で示した経路、つまりハーフエッチング部２１ｃ下面の狭い部分を横方向に進む経路のみであり、樹脂の流れが悪く、充填不良が発生し易い。一方貫通穴２１ｅを設けた図２の場合であると、封止樹脂７は、ハーフエッチング部２１ｃ下面だけでなく、貫通穴２１ｅを通って上から下方向に流れ込むことになり、放熱板２１下面２３への樹脂封止効率が改善される。上記貫通穴２１ｅの有無による樹脂封止後の外観の相違を、半導体装置各３０ケずつ比較した結果、貫通穴２１ｅなしの場合、未充填不良が５箇所発生したのに対し、貫通穴２１ｅありの場合は充填不良は０であった。
【００２８】
なお、貫通穴２１ｅは、図２（ｄ）に示すように、突出部２１ａに連続して形成することにより、突出部２１ａ下への樹脂流れ込みが促進されるので望ましい。
【００２９】
（実施の形態３）
図３Ａは、実施の形態３における半導体装置を示す。図３Ａ（ａ）は断面図、（ｂ）は下面図である。図３（ａ）は、（ｂ）のＥ−Ｅ線に沿った断面を示す。図３（ｃ）は、この半導体装置を構成する放熱板を取り出して示した下面図である。
【００３０】
本実施の形態では、図１および図２に記載した突出部２０ａ、２１ａを保持する４ケ所のフルメタル露出の支持部２０ｂ、２１ｂとは異なり、図３Ａ（ｂ）に示すように、支持部２５ｃを、他の露出端子である放熱端子、電気信号用端子とほぼ同等の形状および配置にする。
【００３１】
図３Ａ（ｃ）に示すように、放熱板２５の上面には、中央部にチップを搭載する円形の突出部２５ａを有し、そこから十字形状に延びるように補助突出部２５ｂが形成されている。補助突出部２５ｂの先端部に位置する支持部２５ｃが形成され、その形状は他の端子と同様の形状となっている。破線で示した輪郭形状２６のプレス金型で半分切断することにより、センターが円形で十字形状の補助部をもつ突出部２５ａ、補助突出部２５ｂが形成され、図３Ａ（ｂ）に示すように、それを保持する支持部２５ｃは、放熱端子２５ｄとほぼ同等のピストル弾のような形状となる。その結果、基板配線自由度がいっそう確保できることになる。しかも、この支持部２５ｃで放熱のための基板へのはんだ接続が可能となる。２５ｅはハーフエッチング部、２５ｆは貫通穴である。
【００３２】
次に、上記図３Ａの構造を改善した例を図３Ｂに示す。図３Ａの構造では、補助突出部２５ｂが十字形状となっており、その幅が狭いため、補助突出部２５ｂ全体としての強度が弱く、チップ搭載時に変形する可能性がある。これを解決するための一例として、図３Ｂに示す形状を用いることができる。この構造における突出部２７ａは、正方形である。また、図３Ａの構造における貫通穴２５ｆに対応して、図３Ｂの構造では三角形状の貫通穴２７ｂが形成される。なお、他の部分については図３Ａと同一の参照符号を付して、説明を省略する。突出部２７ａの形状を十字から正方形とすることにより、図３Ａの場合の補助突出部２５ｂの幅の狭さが解消され、突出部の強度が増す。また貫通穴２７ａの形状を三角形状とすることにより、樹脂流通は図３Ａと同様に良好であり、安定した生産性・歩留まりを確保することが可能である。
【００３３】
（実施の形態４）
図４は、実施の形態４における半導体装置を示す。図４（ａ）は断面図、（ｂ）は下面図である。図４（ａ）は、（ｂ）のＧ−Ｇ線に沿った断面を示す。図４（ｃ）は、この半導体装置を構成する放熱板を取り出して示した下面図である。
【００３４】
本実施の形態は、放熱板２８の中央部に突出部を設けず、フラットとした構造を特徴とする。その上面がフラットな放熱板２８の中央に、Ａｇペーストにより半導体チップ１を装着固定する。この場合、上述の実施の形態のように突出部およびそれを保持する支持部を形成する必要がない。その結果、半導体装置下面の放熱板２８の露出部分の外観は、図４（ｃ）に示したように、ハーフエッチング部２８ａに放熱端子２８ｂのみが配置された状態となる。つまり金属露出部分を極限まで減らすことができるので、基板配線自由度をいっそう十分に確保できる。
【００３５】
（実施の形態５）
図５Ａは、実施の形態５における半導体装置を示す。図５Ａ（ａ）は断面図、（ｂ）は下面図である。図５Ａ（ａ）は、（ｂ）のＨ−Ｈ線に沿った断面を示す。図５Ａ（ｃ）は、この半導体装置を構成する放熱板を取り出して示した下面図である。本実施の形態は、図４に示した実施の形態４の改良例である。
【００３６】
本実施の形態では、図４と同様に上面がフラットな放熱板２９の構造を有し、図５Ａ（ｃ）に示すように、ハーフエッチング部２９ａの放熱端子２９ｂの内側に、貫通穴２９ｃを設ける。それにより、樹脂が貫通穴２９ｃを通じて、放熱板２９の上面から下面へ流れ込む樹脂流路３０が形成される。その結果、放熱板２９下面への樹脂の流れを促進し、未充填の外観不良の発生を軽減する。ただし、貫通穴２９ｃからの樹脂流れ込みを有効とするには、半導体チップ１の外形輪郭よりも外形サイズの大きな貫通穴２９ｃを設ける必要がある。
【００３７】
以上のように、放熱板に突出部を形成せず、その上面をフラットとし、かつ貫通穴を設けることにより、実装基板配線の自由度を確保し、放熱板下面への樹脂流れ込みを促進し、しかも突出部加工の工程を省く事ができる。
【００３８】
図５Ｂに、図５Ａに示した構造の改善例を示す。図５Ｂ（ａ）は断面図、（ｂ）は下面図である。図５Ｂ（ａ）は、（ｂ）のＩ−Ｉ線に沿った断面を示す。図５Ａ（ｃ）は、この半導体装置を構成する放熱板を取り出して示した下面図である。図５Ｃには、図５Ｂに示した半導体装置を基板実装した状態を断面で示す。
【００３９】
この例においては、放熱板３１の中央部に中央放熱端子３１ｄを設ける。中央放熱端子３１ｄは、フルメタルであり、電気信号用端子５、あるいは他の放熱端子３１ｂと同形状・寸法である。３１ａはハーフエッチング部、３１ｃは貫通穴である。
【００４０】
図５Ｃに示すように、この半導体装置を基板９に実装する際には、中央放熱端子３１ｄも同時にはんだ接続する。これにより、半導体チップ１で回路作動時に発生する熱は、放熱端子３１ｂを介した基板９への放熱経路３２のみならず、中央放熱端子３１ｄを介した放熱経路３３からも分散して基板９に放熱される。したがって放熱性の改善につながり、放熱性を示す熱抵抗の値が１０％〜３０％改善される。
【００４１】
中央放熱端子３１ｄを設けることによるもうひとつの効果を図５Ｄに示す。  図５Ｄは、半導体装置組み立て工程における、リードフレームへの半導体チップ１装着時の様子を示す。図５Ｄ（ａ）は、図５Ａの放熱板２９の場合、図５Ｄ（ｂ）は、図５Ｂの中央放熱端子３１ｄを有する放熱板３１の場合を示す。
【００４２】
図５Ｄ（ａ）に示すように、組み立て当初のリードフレームは、放熱板２９、電気信号用端子５を形成するリードなどが、シート３４上に貼り付いた状態となっている。そこに、矢印３５で示した方向つまり上方から下方向に荷重をかけながら、半導体チップ１が装着される。このとき、中央放熱端子３１ｄが存在しない放熱板２９は、破線で示されるように変形するという不具合が生じる。放熱板２９が変形すると、外観上の不良あるいは半導体装置の信頼性への不具合につながることになる。したがって、変形を生じない範囲での荷重のもとで半導体チップ１を装着する必要があり、チップ装着条件幅が小さくなる。      
【００４３】
これに対して、図５Ｄ（ｂ）に示すように、中央放熱端子３１ｄを設けた場合には、中央放熱端子３１ｄが放熱板３１への荷重負荷を支える役割を果たし、上述のような変形は発生しない。
【００４４】
以上のように、図５Ｂに示す構造は、放熱性向上と組み立て時の放熱板変形防止の２つの利点を有する。
【産業上の利用可能性】
【００４５】
本発明によれば、放熱板の下面が封止樹脂から露出する面積を低減させて、放熱板下の基板配線の自由度を向上させることができるので、ランドグリッドアレイタイプのリードフレームを用いた半導体装置の製造に有用である。
【図面の簡単な説明】
【００４６】
【図１】実施の形態１における半導体装置を示し、（ａ）および（ｂ）は断面図、（ｃ）は下面図、（ｄ）は構成要素の一部である放熱板の下面図、（ｅ）は構成要素の一部であるリードフレームの下面図
【図２】実施の形態２における半導体装置を示し、（ａ）および（ｂ）は断面図、（ｃ）は下面図、（ｄ）は構成要素の一部である放熱板の下面図
【図３Ａ】実施の形態３における半導体装置を示し、（ａ）は断面図、（ｂ）は下面図、（ｃ）は構成要素の一部である放熱板の下面図
【図３Ｂ】実施の形態３における半導体装置の改良例の半導体装置を示し、（ａ）は断面図、（ｂ）は下面図、（ｃ）は構成要素の一部である放熱板の下面図
【図４】実施の形態４における半導体装置を示し、（ａ）は断面図、（ｂ）は下面図、（ｃ）は構成要素の一部である放熱板の下面図
【図５Ａ】実施の形態５における半導体装置を示し、（ａ）は断面図、（ｂ）は下面図、（ｃ）は構成要素の一部である放熱板の下面図
【図５Ｂ】実施の形態５における半導体装置の改良例の半導体装置を示し、（ａ）は断面図、（ｂ）は下面図、（ｃ）は構成要素の一部である放熱板の下面図
【図５Ｃ】図５Ｂに示した半導体装置を基板実装した状態を示す断面図
【図５Ｄ】半導体装置を組み立てる際の半導体チップ搭載時の放熱板変形の様子を示す断面図
【図６】従来例の半導体装置を示し、（ａ）は断面図、（ｂ）は下面図、（ｃ）は構成要素の一部である放熱板の下面図、（ｄ）は構成要素の一部であるリードフレームの下面図
【図７】図６の半導体装置を基板に実装した構造を示し、（ａ）は断面図と、（ｂ）は基板表面のパターン図
【符号の説明】
【００４７】
１  半導体チップ
２  放熱板
２ａ  突出部
２ｂ  支持部
２ｃ  中央凹部
２ｄ  ハーフエッチング部
２ｅ  放熱端子
３  接着材
４  吊りリード
４ａ  ランド
５  端子
５ａ  コーナーランド
６  ワイヤー
７  封止樹脂
７ａ  チップと放熱板間の樹脂
８  半導体装置
９  基板
１０、１０ａ  電極
１１、１１ａ  はんだ材料
１２  配線
１３  ビアホール
１４  内層配線
１５  はんだボール
２０、２１、２５、２８、２９、３１  放熱板
２０ａ、２１ａ、２５ａ、２７ａ  突出部
２０ｂ、２１ｂ、２５ｃ  支持部
２０ｃ、２１ｃ、２５ｅ、２８ａ、２９ａ、３１ａ  ハーフエッチング部
２０ｄ、２１ｄ、２５ｄ、２８ｂ、２９ｂ、３１ｂ  放熱端子
２１ｅ、２５ｆ、２７ｂ、２９ｃ、３１ｃ  貫通穴
２２  隙間
２３  放熱板２１下面
２４  矢印
２５ｂ  補助突出部
２６  輪郭形状
３０  樹脂流路
３１ｄ  中央放熱端子
３２、３３  放熱経路
３４  シート
３５  矢印
Ｌ１  支持部と放熱端子の間隔
Ｌ２  支持部どうしの間隔
Ｌ３  電気信号用端子どうし間の間隔
Ｌ４  支持部の幅
Ｌ５  リードフレーム厚み
Ｌ６  支持部の長さ
【図１】
2005197604.tif 000003
【図２】
2005197604.tif 000004
【図３Ａ】
2005197604.tif 000005
【図３Ｂ】
2005197604.tif 000006
【図４】
2005197604.tif 000007
【図５Ａ】
2005197604.tif 000008
【図５Ｂ】
2005197604.tif 000009
【図５Ｃ】
2005197604.tif 000010
【図５Ｄ】
2005197604.tif 000011
【図６】
2005197604.tif 000012
【図７】
2005197604.tif 000013